(57)【要約】      （修正有）【課題】本考案は家庭にいる時や外出時に地震・火災等に遭遇した時大人から小人までが短時間で装着でき頭部・肩・背中を炎や落下物から保護し携帯できる軽くてコンパクトな防災頭巾を提供する。【解決手段】首の部分の途中まで紐１をつけ調整する事により大人から小人まで共用出来るようにし防炎生地を使用することにより、頭部・肩・背中を保護又、頭部の部分を二重にして緩衝材等を入れる事により頭部・耳・首の一部を保護し折り畳んで、ポケットやバッグに収納して携帯出来るようにした。【選択図】図４
0003101081.tif 000002
【実用新案登録請求の範囲】
【請求項１】
防炎生地を二つ折りにする、ＢとＥを軸にＡとＣ、ＤとＦを重ね合わせ図２のＤとＥを縫合し、Ｈ・Ｉ・Ｊに紐▲１▼を縫合したものを広げて頭に装着する事により自然と肩，背中を保護し、紐を一部分Ｈ・Ｉ・Ｊの間を縫合し、紐の結び方を調整する事により大人から小人まで共用でき、未使用時は何重にも折り畳んで小さく出来る携帯用防災頭巾
【請求項２】
頭部全体及び耳・首の一部を保護する為にＧ・Ｋ・Ｄ・Ｆの斜線部分図１，図２を二重にしてＧ・Ｉ・ＫとＥ・Ｉを縫合する、そして二重に縫合した間に必要に応じて緩衝材等を入れ図１・図２・図３の▲２▼の部分にマジックテープを両面に取り付け自由に緩衝材等を取り外し可能にする。
【考案の詳細な説明】
【０００１】
【考案の属する技術分野】
本考案は家庭にいる時や外出時、地震・火災等が発生した時、簡単に装着でき軽くて安価な携帯用防災頭巾
【０００２】
【従来の技術】
従来の防災頭巾は附属品が複雑だったり、装着に時間がかかったり大人から小人まで共用できなく、ポケットやバッグに入るサイズの物はない
【０００３】
【考案が解決しようとする課題】
近頃、大地震の発生，テロ，火災などいつも安心して生活できない状況の中で家庭内や仕事先・外出先ですぐに取り出せ装着でき、頭部，肩，背中を保護し軽くて大人から小人までが共用できポケットやバッグに収納でき携帯出来る防災頭巾を提供しようとするものである。
【０００４】
【課題を解決するための手段】
本考案の携帯用防災頭巾は防炎生地を使用することにより頭部，肩，背中を炎から防ぎ、頭部の部分を二重に縫合しその間に緩衝材等を入れ自由に着脱できるようにマジックテープを付け、頭部全体，耳，首の一部を衝撃から保護するようにしたものである。
【０００５】
首の部分に紐をつけ大人から小人まで容易に装着でき何重にも折り畳んでポケットやバッグに収納、携帯できるようにした。
【０００６】
【考案の実施の形態】
本考案の携帯用防災頭巾は突然地震・火災が発生した時ポケットやバッグから取り出し素早く着用でき、紐を結ぶことで、両手が使え、避難活動に有効である。
【０００７】
防炎生地を使用する事で頭部・肩・背中を炎から保護し、頭部の部分を二重にして中に緩衝材等を入れ頭部全体、耳、首の一部を落下物等から保護する。
【０００８】
紐を後ろから前の途中までつけることで大人から小人まで、共用できる。
軽くて小さく畳めるので、ポケットやバッグに収納出来る。
【０００９】
【考案の効果】
本考案は以下の様な諸効果がある
１．附属品が無いので簡単に短時間で着脱できる。
２．大人から小人まで共用できる。
３．家庭にいる時、外出時での地震・火災等に使用できる。
４．防炎生地を使用している為、炎から頭部・肩・背中を保護する。
５．軽量・安価で小さく畳める為ポケットやバッグに収納でき携帯できる。
【図面の簡単な説明】
【図１】長方形の防炎生地に紐▲１▼をＨ・Ｉ・Ｊに縫い付けたＡ・Ｃ・Ｄ・Ｆの平面図（Ｇ・Ｋ・Ｄ・Ｆに防炎生地をもう１枚重ねＧ・ＫとＩ・Ｅを縫合しマジックテープ▲２▼を両面に取り付けたのが斜線の部分である。
【図２】図１のＡＣＤＦをＢＥを軸に二つ折り重ねた平面図ＡＢＤＥ
【図３】図２を広げた正面図
【図４】図３を頭から被り紐▲１▼を結んだ正面図
【図５】平らにした図２を何重にも折り畳んだ状態
【図１】
0003101081.tif 000003
【図２】
0003101081.tif 000004
【図３】
0003101081.tif 000005
【図４】
0003101081.tif 000006
【図５】
0003101081.tif 000007
【手続補正書】
【提出日】平成15年8月15日(2003.8.15)
【手続補正１】
【補正対象書類名】明細書
【補正対象項目名】実用新案登録請求の範囲
【補正方法】変更
【補正の内容】
【実用新案登録請求の範囲】
【請求項１】
長方形の防炎生地の上辺の中央と下辺の中央を重ね合わせ縫合し頭中の形にして生地の中
央より左右に紐を縫合し紐の長さを調整することにより大人から小人迄共用でき、未使用
時は何重にも折り畳んで小さく携帯出来る様にした防災頭巾
【請求項２】
紐を取り付けた部分より上部の頭巾の内側全体に更に１枚防炎生地を重ねて二重にし後部
だけ縫合する。前部は緩衝材等を取り外し可能にするため、縫合しないで生地の両面に面
ファスナーを取り付け頭部全体及び耳．首の一部を保護することを特徴とする防災頭巾
【手続補正２】
【補正対象書類名】明細書
【補正対象項目名】０００４
【補正方法】変更
【補正の内容】
【０００４】
【課題を解決するための手段】
本考案の携帯用防災頭巾は防炎生地を使用することにより頭部，肩，背中を炎から防ぎ、
頭部の部分を二重に縫合しその間に緩衝材等を入れ自由に着脱できるように面ファスナー
を付け、頭部全体，耳，首の一部を衝撃から保護するようにしたものである。


【手続補正３】
【補正対象書類名】明細書
【補正対象項目名】図１
【補正方法】変更
【補正の内容】
【図１】長方形の防炎生地に紐▲１▼をＨ・Ｉ・Ｊに縫い付けた平面図（Ａ・Ｃ・Ｄ・Ｆ）（Ｇ・Ｋ・Ｄ・Ｆ）に防炎生地をもう１枚重ねＧ・ＫとＩ・Ｅを縫合し面ファスナー▲２▼を両面に取り付けたのが斜線の部分である。




【手続補正書】
【提出日】平成15年11月25日(2003.11.25)
【手続補正１】
【補正対象書類名】明細書
【補正対象項目名】実用新案登録請求の範囲
【補正方法】変更
【補正の内容】
【実用新案登録請求の範囲】
【請求項１】
長方形の防炎生地の上辺の中央と下辺の中央を重ね合わせ縫合し頭巾の形にして生地の中央より左右に紐を縫合し紐の長さを調整することにより大人から小人迄共用でき、未使用時は何重にも折り畳んで小さく携帯出来る様にした防災頭巾
【請求項２】
紐を取り付けた部分より上部の頭巾の内側全体に更に１枚防炎生地を重ねて二重にし後部だけ縫合し前部は緩衝材等を取り外し可能にするため、縫合しないで生地の両面に面ファスナーを取り付け頭部全体及び耳．首の一部を保護することを特徴とする請求項１記載の防災頭巾
【手続補正２】
【補正対象書類名】明細書
【補正対象項目名】０００４
【補正方法】変更
【補正の内容】
【０００４】
【課題を解決するための手段】
本考案の携帯用防災頭巾は防炎生地を使用することにより頭部，肩，背中を炎から防ぎ、頭部の部分を二重に縫合しその間に緩衝材等を入れ自由に着脱できるように面ファスナーを付け、頭部全体，耳，首の一部を衝撃から保護するようにしたものである。


【手続補正３】
【補正対象書類名】明細書
【補正対象項目名】図１
【補正方法】変更
【補正の内容】
【図１】長方形の防炎生地に紐▲１▼をＨ・Ｉ・Ｊに縫い付けた平面図（Ａ・Ｃ・Ｄ・Ｆ）（Ｇ・Ｋ・Ｄ・Ｆ）に防炎生地をもう１枚重ねＧ・ＫとＩ・Ｅを縫合し面ファスナー▲２▼を両面に取り付けたのが斜線の部分である。